(57)【要約】      （修正有）【課題】ブラシ部がコート面に対して跳ねることがなくなり、コート面上の砂を均等にならして整備することが熟練を要することなく誰でも簡単に且つ短時間で行え、構成が簡素で、製造し易く、量産に適し、低廉で、経済的なテニスコート用ブラシを提供する。【解決手段】ブラシ本体を、平面細長矩形状のブラシ台Ｂと、ブラシ台Ｂの植毛面２に植毛するブラシ部Ａとで構成し、ブラシ部Ａは、複数組の植毛束１によって構成し、この植毛束１は、ブラシ台Ｂの植毛面２に直交する状態から長手方向一方に傾斜した状態に配する第一傾斜植毛束１ａと、ブラシ台Ｂの植毛面２に直交する状態から長手方向他方に傾斜した状態に配する第二傾斜植毛束１ｂとからなり、第一傾斜植毛束１ａを適宜間隔で配した第一植毛群と、第二傾斜植毛束１ｂを適宜間隔で配した第二植毛群とを、ブラシ台Ｂの幅方向に於いて交互に配する。【選択図】図１
0003148340.tif 000002
【実用新案登録請求の範囲】
【請求項１】
柄の先端部分に装着されるブラシ本体を、ブラシの移動方向に対して直交する方向が長手方向となるような平面細長矩形状のブラシ台と、このブラシ台の植毛面に植毛されるブラシ部とで構成し、ブラシ部は、複数の毛が束ねられたような状態で植毛される複数組の植毛束によって構成され、この植毛束は、ブラシ台の植毛面に直交する状態から長手方向一方に傾斜した状態に配される第一傾斜植毛束と、ブラシ台の植毛面に直交する状態から長手方向他方に傾斜した状態に配される第二傾斜植毛束とからなり、前記第一傾斜植毛束を適宜間隔で配した第一植毛群と、前記第二傾斜植毛束を適宜間隔で配した第二植毛群とを、ブラシの移動方向となるブラシ台の幅方向に於いて交互に配したことを特徴とするテニスコート用ブラシ。
【請求項２】
前記第一植毛群の第一傾斜植毛束の毛先部分と、前記第二植毛群の第二傾斜植毛束の毛先部分とが、ブラシ台の幅方向から見て重ならないように配置したことを特徴とする請求項１記載のテニスコート用ブラシ。
【考案の詳細な説明】
【技術分野】
【０００１】
本考案は、例えば、人工芝の上に砂を撒いたテニスコート等（或いは、野球場や、運動場等も含む）に於いて、コート面上の砂をならす際にブラシ部がコート面に対して跳ねることがないように形成して、コート面上の砂を均等にならして整備することが誰でも簡単に行えるように工夫したテニスコート用ブラシに関するものである。
【背景技術】
【０００２】
従来、この種のテニスコート用ブラシとしては、例えば、本願出願人が出願登録した特許文献１のようなテニスコート用のブラシが開示されている。これは、ブラシ部に固定部を介して柄を取り付けたテニスコート用のブラシにおいて、テニスコート面に接するブラシ部の毛の部分を、ブラシ部の中心部長手方向に堅い毛を列状に配し、この堅い毛の周囲に柔らかい毛を方形状に配し、更に、この柔らかい毛の周囲に堅い毛を方形状に配して形成したものである。
そして、前述のようなテニスコート用のブラシによって、人工芝の上に砂を撒いたテニスコートにおいて、テニスコート上の砂を均等にならすことができるようになった。
【０００３】
【特許文献１】実公平７−４３１３５号公報
【考案の開示】
【考案が解決しようとする課題】
【０００４】
しかしながら、従来のテニスコート用ブラシにあっては、コート面をならしているときにブラシ部が跳ね易い難点があり、ブラシ部が跳ねてしまうとその部分が均等とならず、コート面上の砂を均等にならして整備するには、ある程度の熟練を要する等の問題点があった。
【課題を解決するための手段】
【０００５】
そこで、本考案は、前述のような問題点等を解消し、ブラシ部がコート面に対して跳ねることがないように形成して、コート面上の砂を均等にならして整備することが誰でも簡単に行えるようにし、しかも、構成が簡素で、量産に適し、経済的にも優れたものを提供できるように案出されたものである。
しかして、本考案の請求項１記載のテニスコート用ブラシにあっては、柄Ｃの先端部分に装着されるブラシ本体を、ブラシの移動方向に対して直交する方向が長手方向となるような平面細長矩形状のブラシ台Ｂと、このブラシ台Ｂの植毛面２に植毛されるブラシ部Ａとで構成し、ブラシ部Ａは、複数の毛が束ねられたような状態で植毛される複数組の植毛束１によって構成され、この植毛束１は、ブラシ台Ｂの植毛面２に直交する状態から長手方向一方に傾斜した状態に配される第一傾斜植毛束１ａと、ブラシ台Ｂの植毛面２に直交する状態から長手方向他方に傾斜した状態に配される第二傾斜植毛束１ｂとからなり、前記第一傾斜植毛束１ａを適宜間隔で配した第一植毛群Ａ１と、前記第二傾斜植毛束１ｂを適宜間隔で配した第二植毛群Ａ２とを、ブラシの移動方向となるブラシ台Ｂの幅方向に於いて交互に配する手段を採用した。
【０００６】
また、本考案の請求項２記載のテニスコート用ブラシにあっては、前記第一植毛群Ａ１の第一傾斜植毛束１ａの毛先部分と、前記第二植毛群Ａ２の第二傾斜植毛束１ｂの毛先部分とが、ブラシ台Ｂの幅方向から見て重ならないように配置する手段を採用した。
【考案の効果】
【０００７】
従って、本考案の請求項１記載のテニスコート用ブラシによれば、人工芝の上に砂を撒いたテニスコート等（或いは、野球場や、運動場等も含む）に於いて、コート面上の砂をならす際にブラシ部Ａがコート面に対して跳ねることがなくなり、コート面上の砂を均等にならして整備することが熟練を要することなく誰でも簡単に且つ短時間で行えるようになる。
しかも、構成が簡素で、製造し易く、量産に適し、低廉で、経済的なテニスコート用ブラシを提供できるようになる。
【０００８】
特に、植毛束１は、ブラシ台Ｂの植毛面２に直交する状態から長手方向一方に傾斜した状態に配される第一傾斜植毛束１ａと、ブラシ台Ｂの植毛面２に直交する状態から長手方向他方に傾斜した状態に配される第二傾斜植毛束１ｂとからなり、前記第一傾斜植毛束１ａを適宜間隔で配した第一植毛群Ａ１と、前記第二傾斜植毛束１ｂを適宜間隔で配した第二植毛群Ａ２とを、ブラシの移動方向となるブラシ台Ｂの幅方向に於いて交互に配してあるので、コート面に対して第一傾斜植毛束１ａや第二傾斜植毛束１ｂの毛先が、ブラシ台Ｂの長手方向に寝るようになり、コート面をならすべくブラシ部Ａが移動方向に沿って移動した際に、コート面に対して跳ね難いものとなる。
【０００９】
また、本考案の請求項２記載のテニスコート用ブラシにあっては、前記第一植毛群Ａ１の第一傾斜植毛束１ａの毛先部分と、前記第二植毛群Ａ２の第二傾斜植毛束１ｂの毛先部分とが、ブラシ台Ｂの幅方向から見て重ならないように配置したので、コート面をバランス良く、均等に且つ綺麗にならせるようになる。
【考案を実施するための最良の形態】
【００１０】
以下、本考案を図示例に基づいて説明すると、次の通りである。
本考案は、主に、人工芝の上に砂を撒いたテニスコート等（或いは、野球場や、運動場等も含む）に於いて、コート面上の砂をならす際に使用されるテニスコート用ブラシに係るものである。
具体的には、柄Ｃの先端部分に装着されるブラシ本体を、ブラシの移動方向に対して直交する方向が長手方向となるような平面細長矩形状のブラシ台Ｂと、このブラシ台Ｂの植毛面２に植毛されるブラシ部Ａとで構成されている。
そして、ブラシ部Ａは、複数の毛が束ねられたような状態で植毛される複数組の植毛束１によって構成され、この植毛束１は、ブラシ台Ｂの植毛面２に直交する状態から長手方向一方に傾斜した状態に配される第一傾斜植毛束１ａと、ブラシ台Ｂの植毛面２に直交する状態から長手方向他方に傾斜した状態に配される第二傾斜植毛束１ｂとにより構成されている。
それから、前記第一傾斜植毛束１ａを適宜間隔で配した第一植毛群Ａ１と、前記第二傾斜植毛束１ｂを適宜間隔で配した第二植毛群Ａ２とを、ブラシの移動方向となるブラシ台Ｂの幅方向に於いて交互に配して構成することにより、前記課題等を達成できるようにした。
【実施例】
【００１１】
前記ブラシ台Ｂは、例えば、適宜木製（或いは、合成樹脂製や金属製や適宜複合材で構成したものでも良い）で細長矩形厚板状に形成され、その下面が植毛面２となっている。そして、その長手方向がブラシの移動方向に対して直交する方向となり、その幅方向がブラシの移動方向となる。
【００１２】
前記柄Ｃは、例えば、適宜材料によって適宜形状に形成されたものが採用され、その先端部分がブラシ台Ｂの上面がわに装着できるように構成されている。すなわち、柄Ｃは、作業者が取扱い易いように形成されたものであれば、どのようなものを採用しても良い。
【００１３】
前記ブラシ部Ａは、例えば、適宜材料によって形成される比較的長い毛を複数束ねたような状態で植毛面２に植毛される複数組の植毛束１によって構成されている。
【００１４】
更に、植毛束１は、植毛面２に直交する状態からブラシ台Ｂの長手方向一方に傾斜した状態に配される第一傾斜植毛束１ａと、植毛面２に直交する状態からブラシ台Ｂの長手方向他方に傾斜した状態に配される第二傾斜植毛束１ｂとからなっている。
【００１５】
そして、複数の第一傾斜植毛束１ａを適宜間隔で直列に配したものを第一植毛群Ａ１とし、また、複数の第二傾斜植毛束１ｂを適宜間隔で直列に配したものを第二植毛群Ａ２とする。
【００１６】
それから、前記第一植毛群Ａ１と第二植毛群Ａ２とを、ブラシの移動方向となるブラシ台Ｂの幅方向に於いて交互に複数組配して構成されている。
すなわち、コート面に対して第一傾斜植毛束１ａや第二傾斜植毛束１ｂの毛先が、ブラシ台Ｂの長手方向に寝る（傾く）ように形成してあり、コート面をならすべくブラシ部Ａが移動方向に沿って移動した際に、コート面に対して跳ね難くなるように形成してある。
【００１７】
また、前記第一植毛群Ａ１の第一傾斜植毛束１ａの毛先部分と、前記第二植毛群Ａ２の第二傾斜植毛束１ｂの毛先部分とは、例えば、ブラシ台Ｂの幅方向から見て重ならないように配置されている。すなわち、夫々の毛先部分が均一に且つバランス良く配置されるようになり、コート面をバランス良く、均等に且つ綺麗にならせるように形成されている。
【００１８】
ところで、テニスコート用ブラシの具体的構成、形状、寸法、材質、ブラシ部Ａの具体的構成、形状、寸法、材質、第一植毛群Ａ１の具体的構成、形状、寸法、材質、配設位置、数、第二植毛群Ａ２の具体的構成、形状、寸法、材質、配設位置、数、植毛束１の具体的構成、形状、寸法、材質、配設位置、数、第一傾斜植毛束１ａの具体的構成、形状、寸法、材質、配設位置、数、第二傾斜植毛束１ｂの具体的形状、寸法、配設位置、数、ブラシ台Ｂの具体的構成、形状、寸法、材質、植毛面２の具体的構成、形状、寸法、柄Ｃの具体的構成、形状、寸法、材質等は、図示例のもの等に限定されることなく、適宜自由に設定、変更できるものである。
【図面の簡単な説明】
【００１９】
【図１】本考案のテニスコート用ブラシを例示する部分正面図である。
【図２】本考案のテニスコート用ブラシを例示する部分底面図である。
【図３】本考案のテニスコート用ブラシを例示する部分側面図である。
【図４】本考案のテニスコート用ブラシの使用例を示す部分側面図である。
【符号の説明】
【００２０】
Ａ      ブラシ部
Ａ１    第一植毛群
Ａ２    第二植毛群
１      植毛束
１ａ    第一傾斜植毛束
１ｂ    第二傾斜植毛束
Ｂ      ブラシ台
２      植毛面
Ｃ      柄
【図１】
0003148340.tif 000003
【図２】
0003148340.tif 000004
【図３】
0003148340.tif 000005
【図４】
0003148340.tif 000006